(57)【特許請求の範囲】
【請求項１】
室内と室外との間の差圧を解消する差圧解消装置において、
室内と室外とを仕切る仕切部材中に形成されると共に、室内側には内側開口部が形成され室外側には外側開口部が形成された空間部と、
前記内側開口部を前記空間部の側から開閉できるように、該空間部内にて揺動自在に支持された内側蓋部材と、
前記外側開口部を前記空間部の側から開閉できるように、該空間部内にて揺動自在に支持された外側蓋部材と、
前記内側蓋部材が前記内側開口部を前記空間部の側から閉塞すると共に前記外側蓋部材が前記外側開口部を前記空間部の側から閉塞するように、これらの蓋部材に付勢されるバネ部材と、
前記空間部内にて揺動自在に支持されると共に各蓋部材にそれぞれ連結されることに基づき、前記蓋部材の一方の揺動を伝達して他方の蓋部材を揺動させるように構成された連結部材と、
を備え、
前記内側開口部と前記外側開口部とは、前記仕切部材の面方向に沿って上下及び／又は左右にオフセットしている位置に形成され、
前記内側蓋部材と前記外側蓋部材とは、互いに干渉しないように前記仕切部材の面方向に沿ってオフセットした位置に配置され、
前記連結部材は、前記内側蓋部材と前記外側蓋部材との間であって該内側蓋部材及び該外側蓋部材に干渉しない位置に配置され、
前記内側蓋部材が前記内側開口部を開口する状態では前記外側蓋部材が前記外側開口部を開口し、前記内側蓋部材が前記内側開口部を閉塞する状態では前記外側蓋部材が前記外側開口部を閉塞するように構成された、
ことを特徴とする差圧解消装置。
【請求項２】
前記内側蓋部材を揺動自在に支持する第１揺動軸、
前記外側蓋部材を揺動自在に支持する第２揺動軸、
前記連結部材を揺動自在に支持する第３揺動軸、
を備え、
該第１揺動軸及び該第２揺動軸は、前記第３揺動軸に対して略平行に配置されると共に、スライド自在に構成された、
ことを特徴とする請求項１に記載の差圧解消装置。
【請求項３】
前記内側蓋部材と前記連結部材とはヒンジ結合により揺動自在に連結され、
前記外側蓋部材と前記連結部材とはヒンジ結合により揺動自在に連結された、
ことを特徴とする請求項１又は２に記載の差圧解消装置。
【請求項４】
前記内側蓋部材及び前記外側蓋部材がゆっくり閉まるようにダンパーを配置した、
ことを特徴とする請求項１乃至３のいずれか１項に記載の差圧解消装置。
【請求項５】
前記連結部材は、遮光性材料で形成されたルーバーを有し、前記内側開口部及び前記外側開口部が開口される際にこれらの開口部の間に配置されるように構成された、
ことを特徴とする請求項１乃至４のいずれか１項に記載の差圧解消装置。
【請求項６】
前記仕切部材は、出入りのためのドア、又は該ドアの近傍に配置された部材である、
ことを特徴とする請求項１乃至５のいずれか１項に記載の差圧解消装置。
【発明の詳細な説明】
【技術分野】
【０００１】
本発明は、室内と室外との間で圧力差がある場合にその差圧を解消するための差圧解消装置に関する。
【背景技術】
【０００２】
建物において室内と室外との間で圧力差が生じてしまい、ドアが開けにくくなってしまうことがある。例えば、強風時には、屋外と室内で圧力差が大きくなり、ドアが開けにくくなってしまう。また、室内で換気扇を稼働させているような場合には、室内の圧力が室外よりも低下してしまってドアが開けにくくなってしまう。そのような差圧を解消する装置として幾つかのものが提案されている（例えば、特許文献１参照）。
【０００３】
図６は、従来の差圧解消装置の構成の一例を示す斜視図であり、符号１００は、ヒンジ１０１により揺動自在に支持された遮蔽板を示し、符号１０２は、スクリューロッドを示し、符号１０３は、該スクリューロッド１０２を回転させるためのハンドルを示す。通常は、前記遮蔽板１００にはパッキンＤが押し付けられて室内外が遮断されるように構成されているが、ハンドル１０３を所定の方向に回転させると、スクリューロッド１０２を介して遮蔽板１００が所定の方向に移動してパッキンＤから離間され、室内外が連通されて差圧が解消されるようになっている。
【先行技術文献】
【特許文献】
【０００４】
【特許文献１】特開平２００９−１４４３２７号公報
【発明の概要】
【発明が解決しようとする課題】
【０００５】
しかしながら、図６に示す差圧解消装置の場合、遮蔽板１００の開閉のためにはハンドル１０３を回さなければならず、その操作が煩雑であるという問題があった。
【０００６】
本発明は、上述の問題を解消することができる差圧解消装置を提供することを目的とするものである。
【課題を解決するための手段】
【０００７】
請求項１に係る発明は、図１に例示するものであって、室内（Ａ）と室外（Ｂ）との間の差圧を解消する差圧解消装置（１）において、
室内（Ａ）と室外（Ｂ）とを仕切る仕切部材（２）中に形成されると共に、室内側には内側開口部（４Ａ）が形成され室外側には外側開口部（４Ｂ）が形成された空間部（３）と、
前記内側開口部（４Ａ）を前記空間部（３）の側から開閉できるように、該空間部（３）内にて揺動自在に支持された内側蓋部材（５Ａ）と、
前記外側開口部（４Ｂ）を前記空間部（３）の側から開閉できるように、該空間部（３）内にて揺動自在に支持された外側蓋部材（５Ｂ）と、
前記内側蓋部材（５Ａ）が前記内側開口部（４Ａ）を前記空間部（３）の側から閉塞すると共に前記外側蓋部材（５Ｂ）が前記外側開口部（４Ｂ）を前記空間部（３）の側から閉塞するように、これらの蓋部材（５Ａ，５Ｂ）に付勢されるバネ部材（６Ａ，６Ｂ）と、
前記空間部（３）内にて揺動自在に支持されると共に各蓋部材（５Ａ，５Ｂ）にそれぞれ連結されることに基づき、前記蓋部材の一方（５Ａ又は５Ｂ）の揺動を伝達して他方の蓋部材（５Ｂ又は５Ａ）を揺動させるように構成された連結部材（７）と、
を備え、
前記内側開口部（４Ａ）と前記外側開口部（４Ｂ）とは、前記仕切部材（２）の面方向に沿って上下及び／又は左右にオフセットしている位置に形成され（図１乃至図４参照）、
前記内側蓋部材（５Ａ）と前記外側蓋部材（５Ｂ）とは、互いに干渉しないように前記仕切部材（２）の面方向に沿ってオフセットした位置に配置され（図１及び図２参照）、
前記連結部材（７）は、前記内側蓋部材（５Ａ）と前記外側蓋部材（５Ｂ）との間であって該内側蓋部材（５Ａ）及び該外側蓋部材（５Ｂ）に干渉しない位置に配置され（図１及び図２参照）、
前記内側蓋部材（５Ａ）が前記内側開口部（４Ａ）を開口する状態では前記外側蓋部材（５Ｂ）が前記外側開口部（４Ｂ）を開口し、前記内側蓋部材（５Ａ）が前記内側開口部（４Ａ）を閉塞する状態では前記外側蓋部材（５Ｂ）が前記外側開口部（４Ｂ）を閉塞するように構成されたことを特徴とする。
【０００８】
請求項２に係る発明は、請求項１に係る発明において、前記内側蓋部材（５Ａ）を揺動自在に支持する第１揺動軸（９Ａ）、
前記外側蓋部材（５Ｂ）を揺動自在に支持する第２揺動軸（９Ｂ）、
前記連結部材（７）を揺動自在に支持する第３揺動軸（９Ｃ）、
を備え、
該第１揺動軸（９Ａ）及び該第２揺動軸（９Ｂ）は、前記第３揺動軸（９Ｃ）に対して略平行に配置されると共に、スライド自在に構成されたことを特徴とする。
【０００９】
請求項３に係る発明は、請求項１又は２に係る発明において、前記内側蓋部材（５Ａ）と前記連結部材（７）とはヒンジ結合（８Ａ）により揺動自在に連結され、
前記外側蓋部材（５Ｂ）と前記連結部材（７）とはヒンジ結合（８Ｂ）により揺動自在に連結されたことを特徴とする。
【００１０】
請求項４に係る発明は、請求項１乃至３のいずれか１項に記載の発明において、前記内側蓋部材（５Ａ）及び前記外側蓋部材（５Ｂ）がゆっくり閉まるようにダンパー（不図示）を配置したことを特徴とする。
【００１１】
請求項５に係る発明は、請求項１乃至４のいずれか１項に記載の発明において、図５(c) に例示するものであって、前記連結部材（３７）は、遮光性材料で形成されたルーバー（３７ａ）を有し、前記内側開口部（４Ａ）及び前記外側開口部（４Ｂ）が開口される際にこれらの開口部（４Ａ，４Ｂ）の間に配置されるように構成されたことを特徴とする。
【００１２】
請求項６に係る発明は、請求項１乃至５のいずれか１項に記載の発明において、前記仕切部材（２）は、出入りのためのドア、又は該ドアの近傍に配置された部材であることを特徴とする。
【００１３】
なお、括弧内の番号などは、図面における対応する要素を示す便宜的なものであり、従って、本記述は図面上の記載に限定拘束されるものではない。
【発明の効果】
【００１４】
請求項１乃至６に係る発明によれば、室内側から前記内側蓋部材を仕切部材内に押し込めると、前記連結部材を介して前記外側蓋部材も仕切部材内に押し込められ、前記内側開口部及び前記外側開口部の両方が同時に開口することとなる。同様に、室外側から前記外側蓋部材を仕切部材内に押し込めると、前記連結部材を介して前記内側蓋部材も仕切部材内に押し込められ、前記内側開口部及び前記外側開口部の両方が同時に開口することとなる。いずれの場合も室内側と室外側とは空間部により連通されることとなり、室内と室外との間の差圧が解消され、ドアが開けやすくなるという効果を奏する。また、差圧解消のための操作は前記内側蓋部材又は前記外側蓋部材を押すという操作だけで良く、操作が簡単であるという効果を奏する。
【図面の簡単な説明】
【００１５】
【図１】図１(a) 〜(c)は、本発明に係る差圧解消装置の構成の一例及び作動の様子を説明するための断面図である。
【図２】図２(a) 及び(b)は、本発明に係る差圧解消装置の構成の他の例を示す断面図である。
【図３】図３(a) 〜(c)は、内側開口部及び外側開口部の配置位置の態様を示す正面図である。
【図４】図４は、(a) 〜(c)は、内側開口部及び外側開口部の配置位置の態様を示す正面図である。
【図５】図５(a) 〜(c)は、連結部材の形状の例を示す斜視図である。
【図６】図６は、従来の差圧解消装置の構成の一例を示す斜視図である。
【発明を実施するための形態】
【００１６】
以下、図１乃至図５に沿って、本発明の実施の形態について説明する。
【００１７】
本発明に係る差圧解消装置は、建物において室内と室外との間の差圧を解消するための装置であって、図１に符号１で例示するように、室内Ａと室外Ｂとを仕切る仕切部材２中に形成された空間部３を備えている。そして、該仕切部材２の室内側の面には内側開口部４Ａが形成されており、該仕切部材２の室外側の面には外側開口部４Ｂが形成されていて、室内Ａと室外Ｂとは該空間部３により連通されるようになっている。
【００１８】
また、前記空間部３内における前記内側開口部４Ａの近傍には内側蓋部材５Ａが揺動自在に支持されていて、該内側開口部４Ａを前記空間部３の側（つまり、室内Ａの側からではなく、仕切部材２中の空間部３の側）から開閉できるようになっている。同様に、前記空間部３内における前記外側開口部４Ｂの近傍には外側蓋部材５Ｂが揺動自在に支持されていて、該外側開口部４Ｂを前記空間部３の側（つまり、室外Ｂの側からではなく、仕切部材２中の空間部３の側）から開閉できるようになっている。
【００１９】
また、各蓋部材５Ａ，５Ｂにはバネ部材６Ａ，６Ｂが付勢されていて、前記内側蓋部材５Ａが前記内側開口部４Ａを前記空間部３の側から閉塞すると共に前記外側蓋部材５Ｂが前記外側開口部４Ｂを前記空間部３の側から閉塞するように構成されている。なお、図１に示すバネ部材６Ａ，６Ｂは圧縮バネであるが、もちろんこれに限られるものではなく、圧縮バネ以外のバネ部材であっても良い。また、図１に示す例ではバネ部材６Ａ，６Ｂが各蓋部材５Ａ，５Ｂを直接的に付勢しているが、もちろんこれに限られるものではない。例えば、揺動軸９Ａ及び９Ｂの両方、及び／又は揺動軸９Ｃにトーションバネを巻き付けておいて、各蓋部材５Ａ，５Ｂを間接的に付勢するようにしても良い。さらに、適当な位置にダンパーを配置しておいて、各蓋部材５Ａ，５Ｂがゆっくりと閉まるようにして、その間に差圧解消が行われるようにすると良い。
【００２０】
さらに、前記空間部３内には連結部材７が揺動自在に支持されている。そして、該連結部材７の一方の揺動端（又は揺動端部近傍）７ａは前記内側蓋部材５Ａと揺動自在な状態で連結されており、他方の揺動端（又は揺動端部近傍）７ｂは前記外側蓋部材５Ｂと揺動自在な状態で連結されていて、前記蓋部材の一方（５Ａ又は５Ｂ）の揺動を伝達して他方の蓋部材（５Ｂ又は５Ａ）を揺動させるように構成されている。具体的には、
・  前記内側蓋部材５Ａが前記内側開口部４Ａを開口する状態では前記外側蓋部材５Ｂが前記外側開口部４Ｂを開口し、
・  前記内側蓋部材５Ａが前記内側開口部４Ａを閉塞する状態では前記外側蓋部材５Ｂが前記外側開口部４Ｂを閉塞する
ように構成されている。
【００２１】
ここで、前記内側蓋部材５Ａと前記連結部材７とはヒンジ結合８Ａにより揺動自在に連結し、前記外側蓋部材５Ｂと前記連結部材７とはヒンジ結合８Ｂにより揺動自在に連結しておくと良い。また、図２(a) に示すように、前記連結部材７の一方の揺動端７ａと前記内側蓋部材５Ａの揺動端５ａとを何らかの部材（例えば、紐部材）１８Ａにより揺動可能に連結し、前記連結部材７の他方の揺動端７ｂと前記外側蓋部材５Ｂの揺動端５ｂとを何らかの部材（例えば、紐部材）１８Ｂにより揺動可能に連結しておいても良い。さらには、図２(b)
に示すように、前記内側蓋部材５Ａと前記連結部材７とは磁石２８Ａにより揺動可能に連結し、前記外側蓋部材５Ｂと前記連結部材７とは磁石２８Ｂにより揺動可能に連結しておいても良い。その場合の蓋部材５Ａ，５Ｂは磁石２８Ａ，２８Ｂが吸着するような鉄製やステンレス製にすると良い。なお、図２(b)
において磁石２８Ａ，２８Ｂをそれぞれ２つずつ設けているのは、連結部材７が揺動しても各蓋部材５Ａ，５Ｂとの連結を確保するためである。
【００２２】
ところで、上述の内側蓋部材５Ａを揺動自在に支持する揺動軸９Ａを“第１揺動軸”とし、上述の外側蓋部材５Ｂを揺動自在に支持する揺動軸９Ｂを“第２揺動軸”とし、上述の連結部材７を揺動自在に支持する揺動軸９Ｃを“第３揺動軸”とした場合に、これらの揺動軸９Ａ，９Ｂ，９Ｃは略平行に配置しておくと良い。また、必要に応じて、前記第１揺動軸９Ａや前記第２揺動軸９Ｂを図１(a) 等に示すようにスライド自在に構成しておくと良い。
【００２３】
本発明によれば、図１に矢印Ｆ１で示すように、室内側から前記内側蓋部材５Ａを仕切部材２内に押し込めると、前記連結部材７を介して前記外側蓋部材５Ｂも仕切部材２内に押し込められ（図１(b) (c) 参照）、前記内側開口部４Ａ及び前記外側開口部４Ｂの両方が同時に開口することとなる。同様に、室外側から前記外側蓋部材５Ｂを仕切部材２内に押し込めると、前記連結部材７を介して前記内側蓋部材５Ａも仕切部材２内に押し込められ、前記内側開口部４Ａ及び前記外側開口部４Ｂの両方が同時に開口することとなる。いずれの場合も室内側と室外側とは空間部３により連通されることとなり、室内と室外との間の差圧が解消され、ドアが開けやすくなるという効果を奏する。また、差圧解消のための操作は前記内側蓋部材５Ａ又は前記外側蓋部材５Ｂを押すという操作だけで良く、操作が簡単であるという効果を奏する。
【００２４】
ところで、上述のような構成の差圧解消装置１を配置する仕切部材２としては、例えば、出入りのためのドアや、該ドアの近傍に配置された何らかの部材を挙げることができる。
【００２５】
また、上述の内側開口部４Ａと外側開口部４Ｂとは、前記仕切部材２の面方向に沿って上下及び／又は左右にオフセットしている位置に形成すると良い。図３(a) 〜(c) 及び図４(a) 〜(c) は内側開口部４Ａ及び外側開口部４Ｂの配置位置の例を図示したものであり、符号２は仕切部材であるドアを示し、符号２ａはドアノブを示す。図３(a) に示すように、内側開口部４Ａ及び外側開口部４Ｂをドアノブ２ａの下に設けた場合には、ドア２を開ける際に内側蓋部材５Ａ又は外側蓋部材５Ｂを膝で押すことができ、図３(b) 及び(c) に示すように、内側開口部４Ａ及び外側開口部４Ｂをドアノブ２ａの横に設けた場合には、ドア２を開ける際に内側蓋部材５Ａ又は外側蓋部材５Ｂを肘や手で押すことができ、図４(a) 〜(c) に示すように、内側開口部４Ａ及び外側開口部４Ｂをドア２の下縁付近に設けた場合には、ドア２を開ける際に内側蓋部材５Ａ又は外側蓋部材５Ｂを足で押す（蹴る）ことができる。
【００２６】
さらに、連結部材は、図５(a) に符号１７で示すように、開口部１７ａを有するものとし、内側開口部４Ａと外側開口部４Ｂとの間の通気を良くするようにすると良い。また、連結部材は、図５(b)
に符号２７で示すように、遮光性材料で形成された板状として、室外から室内を容易に覗かれないようにすると良い。さらに、連結部材は、図５(c) に符号３７で示すように、遮光性材料で形成されたルーバー３７ａを有するものとし、前記内側開口部４Ａ及び前記外側開口部４Ｂが開口される際にこれらの開口部４Ａ，４Ｂの間に配置されるようにすると良い。そのようにした場合には、室外から室内を容易に覗かれないようにできると共に内側開口部４Ａと外側開口部４Ｂとの間の通気を確保できる。
【符号の説明】
【００２７】
１          差圧解消装置
２          仕切部材
３          空間部
４Ａ        内側開口部
４Ｂ        外側開口部
５Ａ        内側蓋部材
５Ｂ        外側蓋部材
６Ａ，６Ｂ          バネ部材
７          連結部材
８Ａ        ヒンジ結合
８Ｂ        ヒンジ結合
９Ａ        第１揺動軸
９Ｂ        第２揺動軸
９Ｃ        第３揺動軸
Ａ          室内
Ｂ          室外
【図１】
0005607511.tif 000002
【図２】
0005607511.tif 000003
【図３】
0005607511.tif 000004
【図４】
0005607511.tif 000005
【図５】
0005607511.tif 000006
【図６】
0005607511.tif 000007